(57)【要約】【課題】多点化および高密度化された焦点検出枠を表示する際においても、被写体の視認性が損なわれることがないようにする。【解決手段】カメラは、撮像光学系１０５を介して光学像を視認するため光学ファインダーを備えている。ＣＰＩ１０１は光学像において被写体を検出するとともに、検出された被写体の１つが合焦状態にある場合に、当該合焦状態ある被写体が特定の被写体であるか否かを判定する。そして、ＣＰＵは合焦状態にある被写体が特定の被写体であるか否かに応じて、光学像に重畳して表示され光学像において特定の被写体又は特定の被写体以外の他の被写体を視認するための表示パターンを異ならせる。【選択図】図４
2019020508.tif 000002
【特許請求の範囲】
【請求項１】
撮像光学系を介して光学像を視認するため光学ファインダーを備える撮像装置であって、
前記光学像において被写体を検出する検出手段と、
前記検出手段によって検出された被写体の１つが合焦状態にある場合に、当該合焦状態ある被写体が特定の被写体であるか否かを判定する判定手段と、
前記合焦状態にある被写体が前記特定の被写体であるか否かに応じて、前記光学像に重畳して表示され前記光学像において前記特定の被写体又は前記特定の被写体以外の他の被写体を視認するための表示パターンを異ならせる制御手段と、
を有することを特徴とする撮像装置。
【請求項２】
前記表示パターンには複数の点を備える第１の表示パターンと、複数の点を備える第２の表示パターンとがあり、前記第１の表示パターンにおける点は前記第２の表示パターンにおける点よりも面積が小さいことを特徴とする請求項１に記載の撮像装置。
【請求項３】
前記判定手段によって前記合焦状態にある被写体が前記他の被写体であると判定された場合、前記制御手段は前記他の被写体に対応させて前記第２の表示パターンにおける点を点灯制御することを特徴とする請求項２に記載の撮像装置。
【請求項４】
前記判定手段によって前記合焦状態にある被写体が前記特定の被写体であると判定された場合、前記制御手段は前記特定の被写体に対応させて前記第１の表示パターンにおける点を点灯制御することを特徴とする請求項２又は３に記載の撮像装置。
【請求項５】
前記制御手段は前記第１の表示パターンを点灯制御した後、所定の時間が経過すると前記第１の表示パターンにおける点灯制御を異ならせることを特徴とする請求項４に記載の撮像装置。
【請求項６】
前記制御手段は、前記所定の時間が経過すると、前記第１の表示パターンによって前記特定の被写体の外縁が囲まれるように点灯制御することを特徴とする請求項５に記載の撮像装置。
【請求項７】
前記制御手段は、前記特定の被写体又は前記他の被写体の状態が変化すると、前記第１の表示パターン又は前記第２の表示パターンにおける点灯制御を異ならせることを特徴とする請求項４に記載の撮像装置。
【請求項８】
前記判定手段によって前記合焦状態にある被写体が前記他の被写体であると判定された場合、前記制御手段は前記他の被写体に対応させて前記表示パターンを点灯制御することを特徴とする請求項１に記載の撮像装置。
【請求項９】
前記判定手段によって前記合焦状態にある被写体が前記特定の被写体であると判定された場合、前記制御手段は前記特定の被写体の外縁を囲むようにして前記表示パターンを点灯制御することを特徴とする請求項１又は８に記載の撮像装置。
【請求項１０】
撮影指示があると、前記制御手段は前記表示パターンを消灯制御することを特徴とする請求項３乃至９のいずれか１項に記載の撮像装置。
【請求項１１】
前記特定の被写体は、人物の顔であることを特徴とする請求項１乃至１０のいずか１項に記載の撮像装置。
【請求項１２】
撮像光学系を介して光学像を視認するため光学ファインダーを備える撮像装置の制御方法であって、
前記光学像において被写体を検出する検出ステップと、
前記検出ステップで検出された被写体の１つが合焦状態にある場合に、当該合焦状態ある被写体が特定の被写体であるか否かを判定する判定ステップと、
前記合焦状態にある被写体が前記特定の被写体であるか否かに応じて、前記光学像に重畳して表示され前記光学像において前記特定の被写体又は前記特定の被写体以外の他の被写体を視認するための表示パターンを異ならせる制御ステップと、
を有することを特徴とする制御方法。
【請求項１３】
撮像光学系を介して光学像を視認するため光学ファインダーを備える撮像装置で用いられる制御プログラムであって、
前記撮像装置が備えるコンピュータに、
前記光学像において被写体を検出する検出ステップと、
前記検出ステップで検出された被写体の１つが合焦状態にある場合に、当該合焦状態ある被写体が特定の被写体であるか否かを判定する判定ステップと、
前記合焦状態にある被写体が前記特定の被写体であるか否かに応じて、前記光学像に重畳して表示され前記光学像において前記特定の被写体又は前記特定の被写体以外の他の被写体を視認するための表示パターンを異ならせる制御ステップと、
を実行させることを特徴とする制御プログラム。
【発明の詳細な説明】
【技術分野】
【０００１】
本発明は、撮像装置、その制御方法、および制御プログラムに関し、特に、光学ファインダーに重畳して表示される表示パターンの表示制御に関する。
【背景技術】
【０００２】
一般に、一眼レフカメラなどの撮像装置において、光学ファインダーの光路に高分子分散型液晶を用いた撮影情報表示パネルを配置したものが知られている。この種の撮像装置においては、撮影情報表示パネルに表示パターンを表示することが行われている。そして、表示パターンには、例えば、撮影レンズの焦点調節を行う領域を示す焦点検出枠、所謂クロップ撮影モードの際の撮影領域、又は方眼などの各種の撮影情報を表示して、これら撮影情報を撮影者が容易に視認できるようにしている。
【０００３】
撮影情報表示パネルに表示パターンを表示する際には、例えば、高分子分散型液晶に所定のパターンで電圧印加を行って、被写界光を透過する透過部と被写界光を拡散する拡散部とを形成して、透過部および拡散部にコントラストを生じさせる。これによって、撮影者は、撮影情報表示パネルに表示パターンに応じて表示された各種の撮影情報を視認することができる。
【０００４】
スーパーインポーズ表示を行うため、ファインダー視野に減光表示像と発光表示像とを重畳して表示する際、物体光を透過して得た表示光をミラー部材に投射して発光表示像を形成するようにしたものがある（特許文献１参照）。
【０００５】
一方、撮像装置において、特定の被写体を追尾して当該被写体の移動に応じたＡＥ（自動露出）およびＡＦ（オートフォーカス）制御を行うようにしたものがある。そして、このような制御を行う際に、複数の画素が２次元配置された撮像素子をＡＥセンサとして用いて、測光領域の位置、大きさ、および形状の自由度を高めるようにしたものがある（特許文献２参照）。なお、特許文献２においては、撮影によって得られ画像を被写体の検出および追尾などの測光以外の用途に利用している。
【先行技術文献】
【特許文献】
【０００６】
【特許文献１】特開平１０−１８６４９０号公報
【特許文献２】特開２０１３−２００５３０号公報
【発明の概要】
【発明が解決しようとする課題】
【０００７】
ところで、近年、撮像装置においては焦点検出枠が多点化および高密度化しており、焦点検出枠を多点化および高密度化すれば、焦点検出枠を表示する際の自由度が高くなる。
【０００８】
ところが、従来のように、被写体が検出された焦点検出枠の全てを点灯すると、点灯した焦点検出枠によって、ユーザにとっては肝心の被写体の視認性が損なわれてしまう。
【０００９】
そこで、本発明の目的は多点化および高密度化された焦点検出枠を表示する際、被写体の視認性が損なわれることのない撮像装置、その制御方法、および制御プログラムを提供することにある。
【課題を解決するための手段】
【００１０】
上記の目的を達成するため、本発明による撮像装置は、撮像光学系を介して光学像を視認するため光学ファインダーを備える撮像装置であって、前記光学像において被写体を検出する検出手段と、前記検出手段によって検出された被写体の１つが合焦状態にある場合に、当該合焦状態ある被写体が特定の被写体であるか否かを判定する判定手段と、前記合焦状態にある被写体が前記特定の被写体であるか否かに応じて、前記光学像に重畳して表示され前記光学像において前記特定の被写体又は前記特定の被写体以外の他の被写体を視認するための表示パターンを異ならせる制御手段と、を有することを特徴とする。
【発明の効果】
【００１１】
本発明によれば、多点化および高密度化された焦点検出枠を表示する際においても、被写体の視認性が損なわれることがない。
【図面の簡単な説明】
【００１２】
【図１】本発明の第１の実施形態による撮像装置の構成を概略的に示す図である。
【図２】図１の示すカメラにおける制御系の一例を説明するためのブロック図である。
【図３】図２に示すカメラにおいて光学ファインダーに重畳して表示される表示パターンの一例を示す図である。
【図４】図２に示すカメラにおける撮影処理を説明するためのフローチャートである。
【図５】図４に示す第２の表示パターンの点灯についてその一例を示す図である。
【図６】図４に示す第１の表示パターンの点灯についてその一例を示す図である。
【図７】本発明の第２の実施形態によるカメラで行われる撮影処理を説明するためのフローチャートである。
【図８】図７において人物の顔が検出された際の表示パターンの点灯についてその一例を示す図である。
【図９】本発明の第３の実施形態によるカメラで行われる撮影処理を説明するためのフローチャートである。
【図１０】図９に示す表示変更の一例を示す図である。
【図１１】本発明の第４の実施形態によるカメラで行われる撮影処理を説明するためのフローチャートである。
【発明を実施するための形態】
【００１３】
以下に、本発明の実施の形態による撮像装置の一例について図面を参照して説明する。
【００１４】
［第１の実施形態］
図１は、本発明の第１の実施形態による撮像装置の構成を概略的に示す図である。なお、図示の撮像装置は所謂一眼レフカメラ（以下単にカメラと呼ぶ）である。
【００１５】
図示のカメラはカメラ本体１００および撮影レンズユニット（以下単に撮影レンズと呼ぶ）１０５を有しており、撮影レンズ（撮像光学系）１０５はカメラ本体１００に着脱可能である。カメラ本体１００にはＣＰＵ１０１が備えられ、ＣＰＵ１０１はカメラ全体を制御する。
【００１６】
撮影レンズ１０５にはレンズ制御部１０６が備えられており、レンズ制御部１０６はＣＰＵ１０１の制御下で、撮影レンズに備えられた絞り（図示せず）を調整するとともに、レンズ群１０５ａを光軸に沿って駆動してピント調整などを行う。なお、図示の例では、レンズ群１０５ａは一枚のレンズで示されているが、フォーカスレンズを含む複数のレンズを有している。
【００１７】
主ミラー１１１は、半透過ミラーであって、撮影レンズ１０５の光路上に位置する第１の位置と光路から退避する第２の位置（ミラーアップ位置）に駆動可能である。第１の位置においては、主ミラー１１１は撮影レンズ１０５を通過した被写界光（光学像）を反射して焦点検出板１１５に導くとともに、透過する。主ミラー１１１の後段にはサブミラー１１２が配置され、サブミラー１１２は、第１の位置においては主ミラー１１１を透過した光学像を反射して焦点検出ユニット１１９に導く。
【００１８】
サブミラー１１２の後段には撮像センサ１０７が配置されている。主ミラー１１１およびサブミラー１１２を第２の位置とすると、撮像センサ１０７には撮影レンズ１０５を介して光学像が結像する。そして、撮像センサ１０７は光学像に応じた電気信号（アナログ信号）を出力する。なお、撮像センサ（撮像素子）１０７として、例えば、ＣＣＤセンサ又はＣＭＯＳセンサが用いられる。また、撮像センサ１０７の前側にはフォーカルプレーンシャッタ１１３が配置されている。
【００１９】
撮像センサ１０７の出力であるアナログ信号はＡ／Ｄ変換によってデジタル信号に変換された後、所定の画像処理が施されて画像データとされる。
【００２０】
外部表示部１１５は、例えば、ＴＦＴカラー液晶パネルであって、外部表示部１１５には所謂ライブビュー画像が表示されるとともに、撮影の結果得られた画像およびカメラの各種設定を行うためのメニュー画面などが表示される。
【００２１】
前述の焦点検出板（以下ピント板と呼ぶ）１１６は、撮影レンズ１０５に関して撮像センサ１０７の結像面と等価な位置に配置される。主ミラー１１１で反射された光学像がピント板１１６に１次結像する。撮影者はこの光学像をペンタプリズム１２０および接眼レンズ１２３を介して観察することができる。つまり、カメラは所謂ＴＴＬ方式の光学ファインダーを備えている。
【００２２】
ピント板１１６に配置されたファインダー視野枠１１７は、光学像の周辺部を遮光する。これによって、撮影者は撮像センサ１０７によって撮像される領域（撮像領域）を視認することができる。
【００２３】
高分子分散液晶パネル（ＰＮ液晶パネル）１１４は、焦点検出ユニット１１９による焦点検出の状態表示および焦点検出領域を光学ファインダーに重畳表示する。ここでは、後述するように、焦点検出領域を示すパターンとして２種類の表示パターンがある。
【００２４】
ファインダー内表示部１１８には、導光プリズム（図示せず）、ペンタプリズム１２０、および接眼レンズ１２３を介して絞り値およびシャッタ速度などのカメラに関する各種撮影情報が表示される。
【００２５】
測光用プリズム１２１ａの後側には測光用レンズ１２１ｂが配置されており、測光用プリズム１２１ａは、ピント板１１６に結像した光学像に係る光路を曲げて測光用レンズ１２１ｂに入射させる。そして、測光用レンズ１２１ｂはピント板１１６に結像した光学像を測光センサ１２２に２次結像させる。
【００２６】
測光センサ１２２は、ＣＣＤセンサ又はＣＭＯＳセンサなどの撮像素子であり、光学像における輝度分布を検出する。例えば、測光センサ１２２は、３００×２００画素の画素領域を複数有しており、画素領域毎に輝度を検出して、当該検出結果に応じて、後述するように、特定の被写体検出（例えば、顔の検出）が行われるとともに、被写体の状態変化が検出される。
【００２７】
焦点検出ユニット１１９は既知の位相検出方式による焦点検出を行って、当該検出結果に応じて、ＣＰＵ１０１は撮影レンズ１０５を合焦制御するＡＦ（オートフォーカシング）を行う。
【００２８】
図２は、図１の示すカメラにおける制御系の一例を説明するためのブロック図である。なお、図２において、図１に示す構成要素と同一の構成要素については同一の参照番号を付して説明を省略する。
【００２９】
ＣＰＵ１０１には、不揮発性メモリであるＥＥＰＲＯＭ１０１ａが備えられている。そして、ＣＰＵ１０１には、ＲＯＭ（制御プログラムメモリ）１０２、ＲＡＭ１０３、データ格納部１０４、撮像センサ制御部１０８、画像処理部１０９、フォーカルプレーンシャッタ１１３、および表示制御部１１０が接続されている。さらに、ＣＰＵ１０１には、測光センサ１２２、レンズ制御部１０６、焦点検出ユニット１１９、ピント板検出部１３２、レリーズＳＷ１４０、およびＤＣ／ＤＣコンバータ１４２が接続されている。
【００３０】
ＣＰＵ１０１は、ＲＯＭ１０２に記憶された制御プログラムに基づいて各種制御を行う。ＣＰＵ１０１は、画像処理部１０９の出力である画像データを読み込み、ＲＡＭ１０３に転送する。また、ＣＰＵ１０１は、画像データをＪＰＥＧ圧縮してファイル形式でデータ格納部１０４に格納する。ＣＰＵ１０１は、撮像センサ制御部１０８、画像処理部１０９、および表示制御部１１０などに対してデータ取り込み画素数およびデジタル画像処理の変更指示を行う。
【００３１】
焦点検出ユニット１１９は、焦点検出用の一対のラインＣＣＤセンサを有しており該ラインセンサの出力である電圧をＡ／Ｄ変換してＣＰＵ１０１に送る。ＣＰＵ１０１の制御下で、焦点検出ユニット１１９はラインセンサの蓄積時間の制御およびＡＧＣ（オートゲインコントロール）を行う。
【００３２】
さらに、ＣＰＵ１０１は、測光センサ１２２の出力に基づいて被写体検出および露出制御を行う。被写体検出においては、例えば、人物の顔の検知又は色情報に基づく被写体の検知がある。人物の顔を検出する手法として、例えば、目、鼻、および口などの顔の特徴部を抽出して、特徴部に応じて顔か否かを判定する手法が用いられる。ここでは、測光センサ１２２の出力から顔の特徴部を抽出して顔検出を行う。色情報に基づいて被写体を検知する手法では、例えば、測距開始の際の被写体の色情報を測光センサ１２２から得て、当該色情報が示す色と類似する色領域を被写体として検知する。なお、被写体検出の対象および手法は限定されるものではなく、いずれにしても測光センサ１２２の出力を用いて被写体検出を行えばよい。
【００３３】
加えて、ＣＰＵ１０１は、測光センサ１２２の出力に基づいて被写体の状態が変化したか否かを検知する。例えば、連続的に得られた測光センサ１２２の出力に基づいて、ＣＰＵ１０１は状態変化の有無を判定して当該判定結果に基づいて被写体の状態変化を検知する。
【００３４】
ＲＡＭ１０３は、画像展開エリア１０３ａ、ワークエリア１０３ｂ、ＶＲＡＭ１０３ｃ、および一時退避エリア１０３ｄを備える。画像展開エリア１０３ａは、画像処理部１０９から送られた画像データ（ＹＵＶデジタル信号）およびデータ格納部１０４から読み出されたＪＰＥＧ圧縮画像データを一時的に格納するためのテンポラリバッファとして用いられる。また、画像展開エリア１０３ａは、画像圧縮処理および解凍処理のための画像専用ワークエリアとして用いられる。
【００３５】
ワークエリア１０３ｂは、各種プログラムを実行する際に用いられるエリアである。ＶＲＡＭ１０３ｃは、外部表示部１１５に表示する画像データを格納するために用いられる。一時退避エリア１０３ｄは、各種データを一時退避させるためのエリアである。
【００３６】
データ格納部１０４は、ＣＰＵ１０１によってＪＰＥＧ圧縮処理された撮影画像データ、又はアプリケーションよって参照される各種付属データなどをファイル形式で格納するフラッシュメモリである。
【００３７】
撮像センサ制御部１０８は、撮像センサ１０７に転送クロック信号に供給するとともにシャッタ信号を供給するためのタイミングジェネレータを備えている。さらに、撮像センサ制御部１０８は、撮像センサ１０７の出力に対してノイズ除去およびゲイン処理を行うための回路を有している。また、撮像センサ制御部１０８は、アナログ信号を１０ビットのデジタル信号に変換するためのＡ／Ｄ変換回路、ＣＰＵ１０１の解像度変換指示に従って画素間引き処理を行うための回路などを有している。
【００３８】
画像処理部１０９は、撮像センサ制御部１０８の出力である１０ビットのデジタル信号についてガンマ変換、色空間変換、ホワイトバランス、ＡＥ、およびフラッシュ補正などの画像処理を行う。これによって、画像処理部１０９はＹＵＶ（４：２：２）フォーマットの８ビットデジタル信号（画像データ）を出力する。
【００３９】
表示制御部１１０は、外部表示部１１５の表示を制御する。表示制御部１１０は、画像処理部１０９から転送されたＹＵＶ画像データ又はデータ格納部１０４に記録された画像ファイルについてＪＰＥＧ解凍を行った結果得られたＹＵＶ画像データを受ける。そして、表示制御部１１０はＹＵＶ画像データをＲＧＢデジタル信号に変換したて外部表示部１１５に出力する。
【００４０】
外部表示部１１５は、撮像センサ１０７による撮像で得られた画像を縦横各々間引き処理した画像を表示可能なＴＦＴカラー液晶である。なお、表示制御部１１０は、パネル照明部１１４を駆動して、ファインダー内表示部１１８による表示を制御する。
【００４１】
電池１４１は、リチャージャブルの２次電池又は乾電池である。ＤＣ／ＤＣコンバータ１４２は、電池１４１から電源供給を受け、昇圧およびレギュレーションを行って複数の電源を生成する。そして、ＤＣ／ＤＣコンバータ１４２は、ＣＰＵ１０１の他各ブロックに必要な電圧の電源を供給する。
【００４２】
レリーズＳＷ１４０は、その押込量によって第２段階（半押し）と第２段階（全押し）に操作される。以下、レリーズＳＷ１４０の第一段階をＳＷ１とし、第二段階をＳＷ２とする。
【００４３】
図３は、図２に示すカメラにおいて光学ファインダーに重畳して表示される表示パターンの一例を示す図である。なお、表示パターンは、パネル照明部１１４の駆動によってファインダー内表示部１１８に表示される。
【００４４】
図示の例では、合計６１点を有する第１の表示パターン２０１が焦点検出範囲全域に亘って表示される。同様に、合計６１点を有する第２の表示パターン２０２が焦点検出範囲全域に亘って表示される。図示の例では、表示パターンとして第１の表示パターン２０１と、当該第１の表示パターン２０１よりも点（ＳＩ）の面積が大きい第２の表示パターン２０２の２種類が表示される。
【００４５】
焦点検出領域が複数ある場合、撮影者は任意選択又は自動選択によって焦点検出領域を選択する。任意選択においては、撮影者が撮影範囲においてピントを合わせたい位置に対応する１つの焦点検出領域を任意に選択する。自動選択においては、焦点検出領域における焦点状態の検出結果に基づいて所定のアルゴリズムによって焦点検出領域が自動的に選択される。
【００４６】
自動選択の際には、人物などの主被写体が検知できれば、当該主被写体に対応する焦点検出領域におけるデフォーカス量に基づいて、撮影レンズ１０５のピント位置合わせが行われる。代わりに、焦点検出領域の各々で算出されたデフォーカス量に基づいて、各焦点検出領域のうちで最も撮影者側（撮像装置側）に近い被写体又は明暗差（コントラスト）が高い被写体について撮影レンズ１０５の焦点位置合わせを行うようにしてもよい。
【００４７】
任意選択の際には、第１および第２の表示パターン２０１および２０２のうち、選択された表示パターンのみが表示され、他の表示パターンは非表示となって、撮影者は選択した表示パターンのみを視認することになる。
【００４８】
図４は、図２に示すカメラにおける撮影処理を説明するためのフローチャートである。なお、図４に示すフローチャートに係る処理はＣＰＵ１０１の制御下で行われる。
【００４９】
撮影者がカメラに備えられた特定の釦を操作すると、ＣＰＵ１０１は当該操作を検出して、撮影処理を開始する。ＣＰＵ１０１は撮影者によってレリーズＳＷ１４０が半押しされて、ＳＷ１がＯＮとなったか否かを判定する（ステップＳ１０２）。ＳＷ１がＯＦＦであると（ステップＳ１０２において、ＮＯ）、ＣＰＵ１０１は待機する。
【００５０】
ＳＷ１がＯＮとなると（ステップＳ１０２において、ＹＥＳ）、ＣＰＵ１０１は測光を行う（ステップＳ１０３）。ここでは、ＣＰＵ１０１は測光センサ１２２の出力であるＲ（赤）、Ｇ（緑）、およびＢ（青）の各原色信号から輝度信号および被写体検出用信号を生成する。なお、測光センサ１２２の出力であるアナログ電気信号は、ＣＰＵ１０１によってＡ／Ｄ変換されてそれぞれ８ビットのデジタル信号とされる。
【００５１】
続いて、ＣＰＵ１０１は被写体を検出する（ステップＳ１０４）。前述のように、ここでは、被写体検出として、既知の手法によって顔の検出が行われる。なお、特定の被写体を追尾する追尾モードの際には、測光センサ１２２から得られた色情報を用いて追尾する被写体の検出が行われる。
【００５２】
次に、ＣＰＵ１０１は焦点検出領域の選択を行って、当該焦点検出領域において焦点検出を行う（ステップＳ１０５）。ステップＳ１０４の処理において被写体が検知されれば、ＣＰＵ１０１は当該被写体に対応する領域を焦点検出領域する。そして、ＣＰＵ１０１は既知の手法を用いて焦点検出領域におけるデフォーカス量を求めて当該デフォーカス量に応じて焦点検出を行う。
【００５３】
ステップＳ１０４の処理において被写体が検知されない場合には、ＣＰＵ１０１は複数の焦点検出領域の各々においてデフォーカス量を求める。続いて、ＣＰＵ１０１はこれら焦点検出領域のうち最も撮影者側（カメラ側）に近い被写体又は明暗差（コントラスト）が高い領域を焦点検出領域として選択する。そして、ＣＰＵ１０１は選択した焦点検出領域におけるデフォーカス量に応じて焦点検出を行う。
【００５４】
続いて、ＣＰＵ１０１は合焦状態であるか否かを判定する（ステップＳ１０６）。ここでは、ＣＰＵ１０１はステップＳ１０５の処理で得たデフォーカス量が所定の閾値よりも小さい場合に合焦状態であると判定する。
【００５５】
合焦状態であると（ステップＳ１０６において、ＹＥＳ）、ＣＰＵ１０１は、ステップＳ１０４の処理において被写体が検知されているか否かを判定する（ステップＳ１０７）。一方。合焦状態でないと（ステップＳ１０６において、ＮＯ）、つまり、デフォーカス量が閾値以上であると、ＣＰＵ１０１はデフォーカス量に基づいてフォーカスレンズを駆動する（ステップＳ１０８）。そして、ＣＰＵ１０１はステップＳ１０２の処理に戻る。
【００５６】
被写体が検知されていないと（ステップＳ１０７において、ＮＯ）、ＣＰＵ１０１は第２の表示パターン２０２における点（ＳＩ）を点灯制御（以下単に点灯という）する（ステップＳ１０９）。
【００５７】
図５は、図４に示す第２の表示パターンの点灯についてその一例を示す図である。なお、ここでは、人物の顔が検出されず、被写体が花である場合を例に挙げて説明する。
【００５８】
図示の例では、被写体が花５０１である場合の光学ファインダーの表示が示されており、花５０１は背景に対して明暗差が大きく、さらに、撮影者に近い位置に存在する。このため、前述のように、花およびその近傍が焦点検出領域に設定される。そして、この際には、ＣＰＵ１０１は花およびその近傍において所定のデフォーカス範囲以内の焦点検出領域について第２の表示パターン２０２を点灯する。
【００５９】
被写体が検知されると（ステップＳ１０７において、ＹＥＳ）、ＣＰＵ１０１は検出された被写体が顔であるか否かを判定する（ステップＳ１１０）。検出された被写体が顔でないと（ステップＳ１１０において、ＮＯ）、ＣＰＵ１０１はステップＳ１０９の処理に進んで、前述のようにして第２の表示パターン２０２におけるＳＩを点灯させる。
【００６０】
一方、検出された被写体が顔であると（ステップＳ１１０において、ＹＥＳ）、ＣＰＵ１０１は第１の表示パターン２０１におけるＳＩを点灯させる（ステップＳ１１１）。
【００６１】
図６は、図４に示す第１の表示パターンの点灯についてその一例を示す図である。なお、ここでは、人物の顔が検出された場合を例に挙げて説明する。
【００６２】
図示の例では、被写体が人物である場合の光学ファインダーの表示が示されており、ＣＰＵ１０１は、検出された顔６０１と重なる領域において第１の表示パターン２０１のＳＩを点灯させる。
【００６３】
ステップＳ１０９又はＳ１１１の処理の後、ＣＰＵ１０１は、撮影者によってレリーズＳＷ１４０が全押しされてＳＷ２がＯＮとなったか否か（撮影指示があったか否か）を判定する（ステップＳ１１２）。ＳＷ２がＯＦＦであると（ステップＳ１１２において、ＮＯ）、ＣＰＵ１０１はステップＳ１０２の処理に戻る。一方、ＳＷ２がＯＮとなると（ステップＳ１１２において、ＹＥＳ）、ＣＰＵ１０１は、ステップＳ１０９又はＳ１１０で点灯させたＳＩを消灯制御（以下単に消灯という）する（ステップＳ１１３）。その後、ＣＰＵ１０１は前述したようにして撮影動作を行う（ステップＳ１１４）。そして、ＣＰＵ１０１は撮影処理を終了する。
【００６４】
ステップＳ１１４の処理では、ＣＰＵ１０１は主ミラー１１１を撮影レンズ１０５の光路から退避させる。続いて、ＣＰＵ１０１はステップＳ１０３の処理で得られた測光結果に基づいて露出制御を行って、絞り値およびシャッタ速度を制御する。これによって、撮影レンズ１０５を介して入射した光像は撮像センサ１０７によって光電変換される。その後、前述したようにして、画像データがデータ格納部１０４に記録される。さらに、画像データに応じた画像が撮影画像として外部表示部１１５に表示される。
【００６５】
このように、本発明の第１の実施形態では、検知された被写体が顔であるか否かに応じて光学ファインダーに表示する表示パターンを異ならせる。例えば、検知された被写体が顔である場合には、第１の表示パターンを点灯させ、検知された被写体が顔でないと第２の表示パターンを点灯させる。
【００６６】
これによって、検知された被写体が顔である場合には、その表情など細部に亘って確認するため、ＳＩが小さい表示パターンが点灯する。この結果、撮影者による被写体（つまり、ここでは顔）の視認性が損なわれることがない。例えば、瞬きする瞬間を避けて撮影が可能となるなどシャッターチャンスを逃すことが少なくなる。
【００６７】
一方、被写体が顔以外、例えば、花である場合には、ＳＩが大きい表示パターンを点灯させる。この結果、撮影者はその意図したように被写体が測距されていることを確実に確認することができる。
【００６８】
［第２の実施形態］
続いて、本発明の第２の実施形態によるカメラの一例について説明する。なお、第２の実施形態によるカメラの構成は図１及び図２に示すカメラと同様である。
【００６９】
図７は、本発明の第２の実施形態によるカメラで行われる撮影処理を説明するためのフローチャートである。なお、図７に示すフローチャートに係る処理はＣＰＵ１０１の制御下で行われる。また、図７において、図４に示すフローチャートのステップと同一のステップについては同一の参照符号を付して説明を省略する。
【００７０】
ステップＳ１０７において、特定の被写体（つまり、顔）が検知されないと、ＣＰＵ１０１は顔以外の被写体について当該被写体と重なるように第２の表示パターン２０２のＳＩを点灯する（ステップＳ２０９）。ここでは、例えば、ＣＰＵ１０１は花５０１およびその近傍において所定のデフォーカス量以内の焦点検出領域に表示パターン（例えば、第１の表示パターン２０１）のＳＩを点灯する。そして、ステップＳ２０９の処理の後、ＣＰＵ１０１はステップＳ１１２の処理に進む。
【００７１】
ステップＳ１１０において、検出された被写体が顔であると、ＣＰＵ１０１は顔の外周近傍において顔を囲むように表示パターン（例えば、第１の表示パターン２０１）のＳＩを点灯する（ステップＳ２１１）。その後、ＣＰＵ１０１はステップＳ１１２の処理に進む。
【００７２】
なお、ステップＳ１１０において、検出された被写体が顔でないと、ＣＰＵ１０１はステップＳ２０９の処理に進む。
【００７３】
図８は、図７において人物の顔が検出された際の表示パターンの点灯についてその一例を示す図である。
【００７４】
図示の例では、被写体が人物である場合の光学ファインダーの表示が示されており、ＣＰＵ１０１は、検出された顔６０１の外周近傍において顔６０１を囲むように第１の表示パターン２０１のＳＩを点灯させる。
【００７５】
なお、第２の実施形態では、第１の表示パターンを点灯する例について説明したが、第２の表示パターンを点灯させるようにしてもよい。第１の表示パターンを点灯させれば、その大きさが小さいので、被写体の視認性が高まる。一方、第２の表示パターンを点灯させれば、その大きさが大きいので表示パターンの視認性が高まる。
【００７６】
このように、本発明の第２の実施形態では、特定の被写体（例えば、顔）が検知されると、当該特定の被写体の外周近傍において表示パターンを点灯させる。これによって、顔などの特定の被写体について表情などの細部まで確認する場合には、特定の被写体と表示パターンとが重なることがなく、特定の主被写体についてその視認性が損なわれることがない。例えば、瞬きする瞬間を避けて撮影が可能となるなどシャッターチャンスを逃すことが少なくなる。
【００７７】
一方、特定の被写体以外、例えば、花である場合には、表示パターンが花と重なる領域において点灯する。これによって、この結果、撮影者はその意図したように被写体が測距されていることを確実に確認することができる。
【００７８】
［第３の実施形態］
続いて、本発明の第３の実施形態によるカメラの一例について説明する。なお、第３の実施形態によるカメラの構成は図１及び図２に示すカメラと同様である。
【００７９】
図９は、本発明の第３の実施形態によるカメラで行われる撮影処理を説明するためのフローチャートである。なお、図９に示すフローチャートに係る処理はＣＰＵ１０１の制御下で行われる。また、図９において、図４に示すフローチャートのステップと同一のステップについては同一の参照符号を付して説明を省略する。
【００８０】
ステップＳ１０９又はＳ１１１の処理の後、ＣＰＵ１０１は、ステップＳ１０４の処理で検知されたが被写体が特定の被写体（例えば、顔）であり、かつ表示パターンを点灯した後所定の時間が経過したか否かを判定する（ステップＳ３１２）。なお、所定の時間は、例えば、２秒である。
【００８１】
被写体が特定の被写体であり、かつ所定の時間が経過していると（ステップＳ３１２において、ＹＥＳ）、ＣＰＵ１０１は、ステップＳ１１１の処理で点灯した表示パターンについてその表示（つまり、点灯）を変更する（ステップＳ３１３）。ここでは、例えば、ＣＰＵ１０１は表示パターンの一部を消灯する。
【００８２】
図１０は、図９に示す表示変更の一例を示す図である。
【００８３】
図１０に示すように、ステップＳ３１３の処理では、ＣＰＵ１０１は顔に対応する領域において点灯した第１の表示パターン２０１の一部を消灯する。例えば、ＣＰＵ１０１は顔の外縁に位置するＳＩのみを点灯した状態とし、他のＳＩについては消灯する。
【００８４】
ステップＳ３１３の処理の後、ＣＰＵ１０１はステップＳ１１２の処理に進む。また、被写体が特定の被写体でないか又は所定の時間が経過していないと（ステップＳ３１２において、ＮＯ）、ＣＰＵ１０１はステップＳ１１２の処理に進む。
【００８５】
なお、ステップＳ３１３の処理では、第１の表示パターン２０１の一部を消灯するようにした。一方、特定の被写体が検知されると第２の表示パターン２０２を点灯し、所定の時間が経過する。第２の表示パターン２０２を消灯して、第１の表示パターン２０１を点灯するようにしてもよい。
【００８６】
このように、本発明の第３の実施形態では、特定の被写体（例えば、顔）が検知されると、所定の時間が経過すると、表示パターンの表示を変更する。これによって、顔などの特定の被写体について表情などの細部まで確認する場合には、表示パターンが変化するので、特定の被写体についてその視認性が損なわれることがない。例えば、瞬きする瞬間を避けて撮影が可能となるなどシャッターチャンスを逃すことが少なくなる。
【００８７】
［第４の実施形態］
続いて、本発明の第４の実施形態によるカメラの一例について説明する。なお、第４の実施形態によるカメラの構成は図１及び図２に示すカメラと同様である。
【００８８】
図１１は、本発明の第４の実施形態によるカメラで行われる撮影処理を説明するためのフローチャートである。なお、図１１に示すフローチャートに係る処理はＣＰＵ１０１の制御下で行われる。また、図１１において、図４に示すフローチャートのステップと同一のステップについては同一の参照符号を付して説明を省略する。
【００８９】
ステップＳ１０９又はＳ１１１の処理の後、ＣＰＵ１０１はステップＳ１０４で検出された被写体の状態が変化したか否かを判定する（ステップＳ４１２）。ここでは、ＣＰＵ１０１はステップＳ１０３の処理で得られた測光結果に基づいて被写体の状態の変化を判定する。
【００９０】
被写体の状態が変化すると（ステップＳ４１２において、ＹＥＳ）、ＣＰＵ１０１はステップＳ３１３の処理に進む。一方、被写体の状態が変化しないと（ステップＳ４１２において、ＮＯ）、ＣＰＵ１０１はステップＳ１１２の処理に進む。
【００９１】
このように、本発明の第４の実施形態では、被写体の状態が変化すると、表示パターンの表示を変更する。これによって、被写体が瞬きをした場合又は被写体が顔でない場合であっても（例えば、電光掲示板の表示の変化など）、表示パターンが変更される。その結果、被写体の視認性が損なわれることがなく、シャッターチャンスを逃すことが少なくなる。
【００９２】
以上、本発明について実施の形態に基づいて説明したが、本発明は、これらの実施の形態に限定されるものではなく、この発明の要旨を逸脱しない範囲の様々な形態も本発明に含まれる。
【００９３】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００９４】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９５】
１０１  ＣＰＵ
１０６  レンズ制御部
１０７  撮像センサ
１０８  撮像センサ制御部
１０９  画像処理部
１１０  表示制御部
１１５  外部表示部
１１８  ファインダー内表示部
１１９  焦点検出ユニット
１２２  測光センサ
【図１】
2019020508.tif 000003
【図２】
2019020508.tif 000004
【図３】
2019020508.tif 000005
【図４】
2019020508.tif 000006
【図５】
2019020508.tif 000007
【図６】
2019020508.tif 000008
【図７】
2019020508.tif 000009
【図８】
2019020508.tif 000010
【図９】
2019020508.tif 000011
【図１０】
2019020508.tif 000012
【図１１】
2019020508.tif 000013